(57)【要約】      （修正有）【課題】変形を防ぎ耐久性に優れた環境にやさしいマイクロフォンを提供する。【解決手段】外部胴体の材質として金属の代わりに、天然木材を使用する。天然木材製の外部胴体１０の上部及び下部に上部支持具２１及び長方形のパイプ構造の下部支持具２５を嵌入させて螺合し、マイクロフォンユニット３０を螺合する。【効果】簡単な組立て構造により組立て工数が減り、組立て作業が手軽に行われて製造コストが節減され、生産性が大幅に向上する。外部胴体の内部を長方形のパイプ構造の下部支持具が嵌入して全体的に支持するため、外力に対する外部胴体の変形や衝撃による損傷が防がれて外部胴体の耐久性が従来よりも高くなる。【選択図】図１
2019009755.tif 000002
【特許請求の範囲】
【請求項１】
外部は上部から下部へ進むにつれて直径が次第に小さくなるテーパー状に形成され、内部は上部に直径の大きな段付部（１１）を有する嵌入孔（１２）が上下に貫設された木材製の外部胴体（１０）と；
前記外部胴体の上部に嵌入されて段付部（１１）に載設される上部支持具（２１）と、外部胴体の下部から嵌入孔（１２）に向かって嵌入され、下部に外部胴体の下端に引っ掛かって支持される係止爪（２６）を有する長方形のパイプ構造の下部支持具（２５）と、をネジ部（２１ａ）（２５ａ）により螺合してなる金属製の支持具（２０）と；
前記上部支持具の上部の外側に係合されるマイクロフォンユニット（３０）と；
を備えることを特徴とする環境にやさしいマイクロフォン。
【請求項２】
前記下部支持具（２５）及び外部胴体（１０）の一方の側には互いに対応する位置にオン／オフスイッチ（４０）が嵌設されるスイッチ取付孔（１３）（２７）を貫設されることを特徴とする請求項１に記載の環境にやさしいマイクロフォン。
【請求項３】
前記下部支持具（２５）は、下端の円周上の少なくとも一ヶ所以上の位置に外部胴体（１０）の嵌入方向とは反対の方向に拡開されて内外側に弾性作動する弾性片（２８）が設けられて外部胴体（１０）の嵌入孔（１２）への嵌入時に外部胴体の嵌入孔（１２）と下部支持具（２５）との間に弾発的に嵌入されながら下部支持具の抜脱が防がれるように支持するように構成されたことを特徴とする請求項１に記載の環境にやさしいマイクロフォン。
【発明の詳細な説明】
【技術分野】
【０００１】
本発明は、環境にやさしいマイクロフォンに係り、更に詳しくは、従来より外部胴体の材質として用いられてきた金属の代わりに、環境にやさしく、人体に無害であり、電気ショックに対して安全である他、ハンドリングノイズが極力抑えられる天然木材を使用し、簡単な組立て構造により組立て工数が減り、組立て作業が手軽に行われる他、変形が防がれて耐久性に優れた環境にやさしいマイクロフォンに関する。
【背景技術】
【０００２】
一般に、マイクロフォンは、通信、放送及び娯楽機器などにおいて音響装備の一つとして用いられている。
【０００３】
この種の従来のマイクロフォンは、主として金属製のハウジングとして製造されるが故に、ハウジングの外表面に塗布される各種の金属性のコーティング剤や有害物質がマイクロフォンを手に持つユーザーの手に残留して人体に有害な影響を及ぼしてしまうという問題があった。
【０００４】
また、前記金属製のハウジングは電気製品と接続して使用するときに電気ショックなどの各種の安全事故を引き起こす虞があることはもとより、ハンドリングノイズも激しく発生するという問題があった。
【０００５】
このような諸問題を解消するために、マイクロフォンのハウジングを合成樹脂材で製作する場合もあった。しかしながら、前記合成樹脂材もまた化学合成物質であり、外表面に塗布するコーティング剤もまた合成物質であるため、人体への有害性を根本的に解消することができず、廃棄処理に際しても環境を阻害するという理由から処理費用が高くつくという問題があった。
【０００６】
このように、マイクロフォンのハウジングを金属や合成樹脂材で製作して使用することにより発生する従来の諸問題を解消するために、本願出願人は、環境にやさしいマイクロフォンを出願して特許登録を受けた（例えば、下記の特許文献２参照）。同文献に記載の環境にやさしいマイクロフォンは、胴体を木材で構成し、木材の内部に釣合重り、内部の上下にテンションリングを係合し、上端にマイクロフォンユニットが係合される上部支持具、下部に電源ジャックを接続する下部支持具を係合して構成する。同マイクロフォンは、胴体の材質として天然木材を使用することから、従来よりも環境にやさしく、人体に無害であり、電気ショックに対して安全である他、ハンドリングノイズも極力抑えられるなどの様々なメリットがあった。
【０００７】
しかしながら、前記本願出願人による先出願技術は、木材製の胴体の内部に釣合重り、テンションリング、上部支持具及び下部支持具などの多数の部品を嵌合する複雑な組立て構造を有するため組立て工数が増え、組立て作業も複雑になるという問題があり、特に、胴体の内部の空間に釣合重り、テンションリングを嵌着する組立て作業が行い難いため更に組立て性及び生産性が低下し、これは、製造コストの高騰及び生産性の低下につながるという問題があった。
【０００８】
これらに加えて、木材製の胴体の内部を釣合重り、テンションリングなどが部分的に支持するとはいえ、全体的には支持することができないが故に、外力により容易に破損又は損傷されて耐久性が従来よりも弱くなるという問題を有していた。
【先行技術文献】
【特許文献】
【０００９】
【特許文献１】韓国実用新案登録第２０−０２２１５３２号公報
【特許文献２】韓国登録特許第１０−０４３３８２４号公報
【発明の概要】
【発明が解決しようとする課題】
【００１０】
本発明は上述した従来の技術が有する諸問題を解消するために案出されたものであり、従来より外部胴体の材質として用いられてきた金属の代わりに、環境にやさしく、人体に無害であり、電気ショックに対して安全である他、ハンドリングノイズが極力抑えられる天然木材を使用し、簡単な組立て構造により組立て工数が減り、組立て作業が手軽に行われる他、変形が防がれて耐久性に優れた環境にやさしいマイクロフォンを提供することを目的とする。
【課題を解決するための手段】
【００１１】
このような本発明は、外部は上部から下部へ進むにつれて直径が次第に小さくなるテーパー状に形成し、内部は上部に直径の大きな段付部を有する嵌入孔を上下に貫設する木材製の外部胴体と；前記外部胴体の上部に嵌入して段付部に載設する上部支持具と、外部胴体の下部から嵌入孔に向かって嵌入し、下部に外部胴体の下端に引っ掛かって支持される係止爪を有する長方形のパイプ構造の下部支持具とを、ネジ部により螺合してなる金属製の支持具と；前記上部支持具の上部の外側に係合されるマイクロフォンユニットと；を備えることを特徴とする。
【００１２】
本発明によれば、前記下部支持具及び外部胴体の一方の側には互いに対応する位置にオン／オフスイッチが嵌設されるスイッチ取付孔を貫設することを特徴とする。
【００１３】
本発明によれば、前記下部支持具は、下端の円周上の少なくとも一ヶ所以上の位置に外部胴体の嵌入方向とは反対の方向に拡開されて内外側に弾性作動する弾性片を設けて外部胴体の嵌入孔への嵌入時に外部胴体の嵌入孔と下部支持具との間に弾発的に嵌入しながら下部支持具の抜脱が防がれるように支持するように構成することを特徴とする。
【発明の効果】
【００１４】
本発明によれば、従来より外部胴体の材質として用いられてきた金属の代わりに、環境にやさしく、人体に無害であり、電気ショックに対して安全である他、ハンドリングノイズが極力抑えられる天然木材を使用し、前記木材製の外部胴体の上部及び下部に上部支持具及び長方形のパイプ構造の下部支持具を嵌入させて螺合し、マイクロフォンユニットを螺合するといった簡単な組立て構造により従来よりも組立て工数が減り、組立て作業が手軽に行われて製造コストが節減され、且つ、生産性が大幅に向上するという効果が奏される。
【００１５】
また、前記外部胴体の内部を長方形のパイプ構造の下部支持具が嵌入して全体的に支持することから、外力に対する外部胴体の変形や衝撃による損傷が防がれて外部胴体の耐久性が従来よりも高くなるという効果が奏される。
【００１６】
更に、前記下部支持具は外部胴体に嵌入した状態で抜脱が防がれるように支持される組立て構造を有することから、組立て過程において下部支持具を別途に把持せずに上部支持具を下部支持具に螺合することができて、作業性が改善され、組立て作業がなお一層手軽に行われるという効果が奏される。
【図面の簡単な説明】
【００１７】
【図１】本発明に係るマイクロフォンを示す断面構成図。
【図２】図１の要部の分解斜視図。
【図３】図２の組合せ断面斜視図。
【図４】本発明の他の実施形態によるマイクロフォンを示す断面構成図。
【図５】本発明の更に他の実施形態によるマイクロフォンの下部支持具を示す断面図。
【図６】図５の要部斜視図。
【図７】図５に示す下部支持具を外部胴体に係合した状態の断面構成図。
【発明を実施するための形態】
【００１８】
以下、添付図面に基づき、本発明の好適な実施形態による環境にやさしいマイクロフォンについて詳細に説明する。
【００１９】
本発明の環境にやさしいマイクロフォン１００は、図１から図３に示すように、簡単な構造を有し、外部胴体１０と、支持具２０及びマイクロフォンユニット３０を備える。
【００２０】
前記外部胴体１０は、環境にやさしい天然木材素材により形成されて人体に無害であり、電気的なハンドリングノイズを防ぎ、円筒状構造であって、外部は上部から下部へ進むにつれて直径が次第に小さくなるテーパー状を呈し、内部は上部に直径の大きな段付部１１を有する嵌入孔１２を上下に貫設してなる。
【００２１】
このとき、前記外部胴体１０の材質としては、堅固な性質を有し、通常の木材や色付き木材又は原木それ自体に色相を有する特殊な木材を使用し、外部胴体１０の外表面は天然7ワックス（植物性）で防水コーティングを施すように構成することが好ましい。
【００２２】
前記支持具２０は、外部胴体の上部に嵌入して段付部１１に載設する上部支持具２１と、外部胴体の下部から嵌入孔１２に向かって嵌入し、下部に外部胴体の下端に引っ掛かって支持される係止爪２６を有する下部支持具２５とを、金属材質で形成して構成し、前記上部支持具２１及び下部支持具２５はネジ部２１ａ、２５ａにより螺合するように構成する。
【００２３】
前記下部支持具２５は、長方形のパイプ構造を有し、外部胴体の嵌入孔１２の内部に全体的に嵌入して外部胴体１０を支持し且つ補強するように構成する。
【００２４】
また、前記マイクロフォン１００のオン／オフ作動のためにオン／オフスイッチ４０を別設する場合、図４に示すように、下部支持具２５及び外部胴体１０の一方の側には互いに対応する位置にスイッチ取付孔１３、２７を貫設してオン／オフスイッチを外部に露出させるように設けてオン／オフ操作が行えるように構成する。
【００２５】
更に、前記下部支持具２５は、図５から図７に示すところとは異なるように実施可能であるが、これは、下端の円周上の少なくとも一ヶ所以上の位置に外部胴体１０の嵌入方向とは反対の方向に拡開されて内外側に弾性作動する弾性片２８を設けて外部胴体１０の嵌入孔１２への嵌入時に外部胴体の嵌入孔１２と下部支持具２５との間に弾発的に嵌入しながら下部支持具の抜脱を防ぐように支持する役割を果たすように構成する。
【００２６】
すなわち、前記下部支持具２５を外部胴体の嵌入孔１２に嵌着するときに下部支持具の抜脱が防がれるように支持して、従来のように下部支持具２５を別途に把持せずに外部胴体の上部に上部支持具２１を嵌入させて螺合するといった作業が行えるように構成する。
【００２７】
前記マイクロフォンユニット３０は、入力された音声信号を電気的な信号に変換するボイスコイルと、保護用蓋体と、上部支持具２１の上部ネジ部２１ｂに螺合される胴体などを備えて結合される。
【００２８】
未説明符号５０は、マイクロフォンと音響機器を連結する連結ジャックを示す。
【００２９】
以下、上述したような構成を有する本発明に係るマイクロフォンの作動及び作用について説明する。
【００３０】
まず、本発明の外部胴体１０の材質としては、堅固な性質を有し、環境にやさしく、人体に無害であり、電気ショックに対して安全である他、ハンドリングノイズが極力抑えられる天然木材を使用する。
【００３１】
また、前記外部胴体１０の外表面には天然ワックス（植物性）で防水コーティングを施して水気が染み込むことを遮断する。
【００３２】
このように、外部胴体１０の上部及び下部には上部支持具２１及び下部支持具２５を嵌合する。
【００３３】
すなわち、前記外部胴体１０の下部から嵌入孔１２の内部に向かって長方形のパイプ構造の下部支持具２５を嵌入する。
【００３４】
このとき、前記下部支持具２５は、下端の係止爪２６が外部胴体１０の下端に引っ掛かって支持される。
【００３５】
この状態で、上部支持具２１を外部胴体１０の上部の段付部１１に嵌入して載置する。
また、前記上部支持具２１及び下部支持具２５を回転させて上部支持具２１及び下部支持具２５のネジ部２１ａ、２５ａにより螺合するので、手軽に組み立てられる。
【００３６】
このとき、前記外部胴体１０の 嵌入孔１２の 内部には長方形のパイプ構造の下部支持具２５が全体的に嵌入して木材製の外部胴体を全体的に支持し且つ補強する役割を果たすとともに、外部胴体に加えられる外力による損傷や破損を防ぐ。
【００３７】
更に、本発明は、前記下部支持具２５の下部の外側の円周上に等角位置に、図５から図７に示すように、外部胴体の嵌入孔１２に嵌入する方向とは反対の方向に拡開されて内外側に弾性作動する弾性片２８を係合することにより、下部支持具２５を外部胴体の嵌入孔１２に嵌入させるときに弾性片２８が外部胴体の嵌入孔１２に押されて内側に圧着されながら下部支持具２５が外部胴体の嵌入孔１２にしばり嵌めされる。
【００３８】
すなわち、前記下部支持具２５を外部胴体の嵌入孔１２の下部から嵌合させるワンタッチ作動により組立てと同時に下部支持具の下部の円周上の弾性片２８が外部胴体の嵌入孔１２にしばり嵌めされて外部胴体１０からの下部支持具２５の抜脱が防がれる組立て状態が保たれる。
【００３９】
この状態で、作業者は、下部支持具２５を把持せずに外部胴体の上部の段付部１１に上部支持具２１を載置した後にネジを回すことにより、前記上部支持具２１及び下部支持具  ２５のネジ部２１ａ、２５ａが螺合されて手軽に組み立てられる。
【００４０】
このような組立て状態で、前記上部支持具２１の上部にはマイクロフォンユニット３０を係合して使用し、下部には音響機器を連結ジャック５０で連結して使用する。
【００４１】
加えて、本発明は、オン／オフスイッチ４０が設けられるタイプの場合、図４に示すように、下部支持具２５及び外部胴体１０の一方の側における互いに対応する位置のスイッチ取付孔１３、２７にオン／オフスイッチ４０が露出されるように手軽に組立てて前記オン／オフスイッチの操作でマイクロフォンをオン／オフ操作して使用する。
【００４２】
したがって、本発明は、従来より外部胴体の材質として用いられてきた金属の代わりに、環境にやさしく、人体に無害であり、電気ショックに対して安全である他、ハンドリングノイズが極力抑えられる天然木材を使用し、簡単な組立て構造により組立て工数が減り、組立て作業が手軽に行われる他、変形が防がれて従来よりも耐久性に優れているというメリットを有する。
【符号の説明】
【００４３】
１０  外部胴体
１１  段付部
１２  嵌入孔
１３、２７  スイッチ取付孔
２０  支持具
２１  上部支持具、
２５  下部支持具
２１ａ、２５ａ  ネジ部
２６  係止爪
２８  弾性片
３０  フォンユニット
４０  オン／オフスイッチ
【図１】
2019009755.tif 000003
【図２】
2019009755.tif 000004
【図３】
2019009755.tif 000005
【図４】
2019009755.tif 000006
【図５】
2019009755.tif 000007
【図６】
2019009755.tif 000008
【図７】
2019009755.tif 000009